(57)【要約】  ソフト水熱プロセスによる流通式の小型滅菌装置（１）では、水蒸気を、蒸気飽和度が１００％を下回らない高飽和水蒸気の状態で、圧力容器（３）を経由して流通させて、被滅菌物を滅菌するソフト水熱プロセスによる高圧水蒸気滅菌工程を行う。高圧水蒸気滅菌工程では、所定の圧力および温度の水蒸気を、所定の開度に維持した給蒸モーター弁（２３）を介して所定の流量で圧力容器に供給し、圧力容器（３）の下流側において、圧力容器（３）の内部圧力に応じて排気モーター弁（３３）の開度を調整して、圧力容器（３）の内部温度および内部圧力がそれぞれ所定値に維持されるように制御する。滅菌後の被滅菌物の乾燥時間を大幅に短縮できる。
2017010525.tif 000002
【特許請求の範囲】
【請求項１】
被滅菌物を入れた圧力容器から空気を排除する空気排除工程と、
前記圧力容器に水蒸気を供給すると共に当該圧力容器を外側からヒーターによって加熱して、当該圧力容器の内部温度および内部圧力を所定の温度および圧力に高める昇温昇圧工程と、
水蒸気を、蒸気飽和度が１００％を下回らない高飽和水蒸気の状態で、前記圧力容器を経由して流通させて、前記被滅菌物を滅菌するソフト水熱プロセスによる高圧水蒸気滅菌工程と、
前記圧力容器内の前記被滅菌物を乾燥する乾燥工程と
を含み、
前記高圧水蒸気滅菌工程では、
所定の圧力および温度の水蒸気を、所定の開度に維持した給蒸弁を介して所定の流量で前記圧力容器に対して水蒸気流通方向の上流側から供給し、
前記圧力容器に対して前記水蒸気流通方向の下流側において、前記圧力容器の内部圧力に応じて排気弁の開度を調整して、前記圧力容器の内部温度および前記内部圧力がそれぞれ所定値に維持されるように制御し、
前記高圧水蒸気滅菌工程の終了後に、前記ヒーターの発熱温度を当該高圧水蒸気滅菌工程における発熱温度よりも高くして前記乾燥工程を行う流通式高圧水蒸気滅菌方法。
【請求項２】
請求項１において、
前記高圧水蒸気滅菌工程の終了時点における前記圧力容器内の凝結水発生量が所定値以下となるように、真空パルス方式の前記空気排除工程における真空パルスのパルス数およびパルス幅のうちのいずれか一つ、あるいは双方を調整する流通式高圧水蒸気滅菌方法。
【請求項３】
請求項１において、
前記高圧水蒸気滅菌工程の終了時点における前記圧力容器内の凝結水発生量が所定値以下となるように、前記給蒸弁の開度によって規定される前記圧力容器を流れる水蒸気流通量を調整する流通式高圧水蒸気滅菌方法。
【請求項４】
請求項１において、
前記高圧水蒸気滅菌工程において、前記上流側の水蒸気圧力を、前記圧力容器の内部圧力に比べて所定量だけ高くして、前記高圧水蒸気滅菌工程の終了時点における前記圧力容器内の凝結水発生量のバラツキを抑制する流通式高圧水蒸気滅菌方法。
【請求項５】
請求項１において、
前記高圧水蒸気滅菌工程の終了後に、前記ヒーターの発熱温度を前記高圧水蒸気滅菌工程における発熱温度よりも高くして前記乾燥工程を行う流通式高圧水蒸気滅菌方法。
【請求項６】
請求項１において、
前記高圧水蒸気滅菌工程の終了時点における前記圧力容器内の凝結水発生量が所定値以下となるように、真空パルス方式の前記空気排除工程における真空パルスのパルス数およびパルス幅のうちのいずれか一つ、あるいは双方を調整し、かつ、前記給蒸弁の開度によって規定される前記圧力容器を流れる水蒸気流通量を調整し、
前記高圧水蒸気滅菌工程において、前記上流側の水蒸気圧力を、前記圧力容器の内部圧力に比べて所定量だけ高くして、前記高圧水蒸気滅菌工程の終了時点における前記圧力容器内の凝結水発生量のバラツキを抑制する流通式高圧水蒸気滅菌方法。
【請求項７】
被滅菌物が投入される圧力容器と、
前記圧力容器に供給される水蒸気を発生する蒸気発生部と、
前記圧力容器を外部から加熱するヒーターと、
前記圧力容器の内部温度および内部圧力を検出する検出部と、
前記圧力容器に供給される水蒸気量を調整する給蒸弁と、
前記圧力容器を経由して流通する水蒸気量を調整する排気弁と、
前記検出部によって検出される前記内部温度および前記内部圧力に基づき、前記蒸気発生部、前記ヒーター、前記給蒸弁、および前記排気弁を制御して、請求項１ないし６のうちのいずれか一つの項に記載の方法を実行する制御部と、
前記圧力容器の前記内部温度および前記内部圧力を含む滅菌処理条件を前記制御部に設定入力可能な操作部、並びに、前記内部温度、前記内部圧力を含む装置動作状態を表示可能な表示部を備えた操作・表示部と
を有している流通型滅菌装置。
【発明の詳細な説明】
【技術分野】
【０００１】
本発明は、病院、医療、製薬などの分野における滅菌乾燥、および、実験動物施設における医療器具、リネン、金属器具、マウス・ラットの床敷、飼育ケージ・飼育機材等の滅菌乾燥に適したソフト水熱プロセスの化学特性を応用した流通式高圧水蒸気滅菌方法および流通式滅菌装置に関する。
【背景技術】
【０００２】
医療機器などの滅菌装置としては、オートクレーブ（高圧水蒸気滅菌器）が知られている。オートクレーブによる滅菌処理においては、圧力容器内の凝結を嫌うので、スチームトラップで蒸気供給管および圧力容器内の凝結水を除去し、乾き度の高い蒸気を圧力容器内に供給する。【０００３】
また、オートクレーブによる滅菌処理においては、残存空気を除去し、昇温時の凝結水および断熱膨張による凝結水を除去するために、空気排除工程、減圧工程、蒸気通過工程、蒸気充填工程、蒸気排出工程に加えて、滅菌対象物を乾燥させるための乾燥工程が必要である。【０００４】
なお、医療現場における滅菌処理は、例えば日本国においては、非特許文献１に示すガイドラインに沿ったものであることが要求される。オートクレーブによる滅菌は、当該文献の第２３頁以降の「３．蒸気滅菌における滅菌バリデーションおよび日常管理」に基づき行われている。【０００５】
本発明者等は、基礎的研究例が殆ど無いソフト水熱プロセス（２００℃以下の高温高圧の水および水蒸気）の化学特性を応用して、既存のオートクレーブでは不可能とされた高温耐性の蛋白質あるいは酵素、および、細菌内毒素の不活性化が可能であることを見出している（特許文献１、２、３）。【０００６】
オートクレーブによる滅菌処理においては、上記のように、圧力容器内の凝結水を嫌うために、乾き度の高い蒸気を圧力容器内に供給している。これでは、蒸気飽和度が１００％を下回り、効率的に被滅菌物の加水分解が亢進されない。この結果、バイオバーデン（ｂｉｏｂｕｒｄｅｎ）が高くなり、滅菌性能が低下し、あるいは、滅菌性能にバラツキが生じるという問題点がある。【０００７】
また、オートクレーブによる滅菌処理においては、滅菌工程の終了までの間に、圧力容器内に凝結水が発生するので、滅菌処理後に乾燥工程が必須である。このために、滅菌処理時間が長く、病院の中央材料室に作業効率の低下、手術・治療サイクル確保のための治療器具の余剰確保、および滅菌処理に要する時間のために患者に対する治療行為等に遅れが生じる等の問題点がある。
【先行技術文献】
【非特許文献】
【０００８】
【非特許文献１】「医療現場における滅菌保証のガイドライン  ２０１０」、２０１０年１２月１日初版、「日本医療機器学会」発行
【特許文献】
【０００９】
【特許文献１】特開２０１１−０８３２０６号公報
【特許文献２】特開２０１０−０７５６１９号公報
【特許文献３】特開２００９−２４０２０６号公報
【発明の概要】
【発明が解決しようとする課題】
【００１０】
本発明者等は、このような問題を解決するために、ソフト水熱プロセスに着目して乾燥工程を省略した滅菌乾燥方法を提案している（ＰＣＴ／ＪＰ２０１４／０８０２５５：出願日２０１４年１１月１４日）。【００１１】
ここで、滅菌対象物は各種の形態で圧力容器に投入されて滅菌処理が施される。例えば、リネン等のシートによって包まれた状態で、圧力容器内において滅菌処理が施される。このような場合には、圧力容器内での処理中に発生する凝結水が外部に排出され難いので、被滅菌物を十分に乾燥できないおそれがある。よって、滅菌後の被滅菌物を乾燥する乾燥工程が必要とされる場合が多い。【００１２】
本発明の課題は、ソフト水熱プロセスによる滅菌方法を採用して、滅菌性を保証しつつ、被滅菌物の乾燥時間を短縮可能なソフト水熱プロセスによる流通式高圧水蒸気滅菌方法および流通式滅菌装置を提供することにある。
【課題を解決するための手段】
【００１３】
上記の課題を解決するために、本発明のソフト水熱プロセスによる流通式高圧水滅菌乾燥方法は、
被滅菌物を入れた圧力容器から空気を排除する空気排除工程と、
前記圧力容器に水蒸気を供給すると共に当該圧力容器を外側からヒーターによって加熱して、当該圧力容器の内部温度および内部圧力を所定の温度および圧力に高める昇温昇圧工程と、
水蒸気を、蒸気飽和度が１００％を下回らない高飽和水蒸気の状態で、前記圧力容器を経由して流通させて、前記被滅菌物を滅菌するソフト水熱プロセスによる高圧水蒸気滅菌工程と、
前記圧力容器内の前記被滅菌物を乾燥する乾燥工程と
を含み、
前記高圧水蒸気滅菌工程では、
所定の圧力および温度の水蒸気を、所定の開度に維持した給蒸弁を介して所定の流量で前記圧力容器に対して水蒸気流通方向の上流側から供給し、
前記圧力容器に対して前記水蒸気流通方向の下流側において、前記圧力容器の内部圧力に応じて排気弁の開度を調整して、前記圧力容器の内部温度および前記内部圧力がそれぞれ所定値に維持されるように制御し、
前記高圧水蒸気滅菌工程の終了後に、前記ヒーターの発熱温度を当該高圧水蒸気滅菌工程における発熱温度よりも高くして前記乾燥工程を行うことを特徴としている。【００１４】
ここで、飽和水蒸気量と温度および圧力との関係は、下記の気体の状態方程式に基づき導き出すことができる。
ＰＶ＝ｎＲＴ（ＰＶ＝Ｇ／Ｍ・ＲＴ）
Ｐ：圧力（ＭＰａ）
Ｖ：体積（ｄｍ３）
ｎ：モル数（ｍｏｌ）
Ｇ：Ｈ２Ｏの質量（ｋｇ）
Ｍ：Ｈ２Ｏの分子量（１８．０１５）
Ｒ：ガス定数（８．３１×１０−３ｄｍ３・ＭＰａ／Ｋ・ｍｏｌ）
Ｔ：温度（Ｋ［℃＋２７３℃］）【００１５】
また、高飽和水蒸気とは、高蒸気飽和度の飽和水蒸気および飽和水蒸気圧より高い圧力の水蒸気をいう。ソフト水熱プロセスとは、２００℃以下の高飽和水蒸気を反応媒体とした化学反応をいう。高蒸気飽和度とは、蒸気飽和度が１００％以上の状態をいい、蒸気飽和度は、次の式により表される。
｛蒸気密度（ｋｇ／ｍ３）／飽和水蒸気密度（ｋｇ／ｍ３）｝×１００（％）【００１６】
本発明の方法では、高飽和水蒸気を、滅菌処理槽である圧力容器を経由して流通させることにより、圧力容器内の被滅菌物を滅菌している。本発明者等の実験によれば、本発明の方法によって、既存のオートクレーブによる場合に比べて、滅菌性能が高く、滅菌性能のバラツキが少ない信頼性、再現性、および普遍性の高い滅菌処理を実現できることが確認された。【００１７】
また、本発明の方法では、ソフト水熱プロセスを利用しており、また、高飽和水蒸気を、圧力容器を経由して流通させながら滅菌処理を行っている。すなわち、高圧水蒸気滅菌工程では、所定の圧力および温度の水蒸気を、供給側（上流側）から所定の開度に維持した供給弁を介して所定の流量で常に圧力容器に供給している。圧力容器の水蒸気排出側では、圧力容器の内部圧力に応じて排気弁の開度を調整して、圧力容器の内部温度および内部圧力がそれぞれ所定値に維持されるように制御している。これに対して、従来のオートクレーブにおいては、滅菌工程において、密閉状態の圧力容器の内部温度に応じて、その上流側から、水蒸気の供給および供給停止を切り換え制御している。【００１８】
本発明者等の実験によれば、高飽和水蒸気を用いることにより、従来のオートクレーブに比べて、被滅菌物の滅菌処理における凝結水発生量を低減出来ることが確認された。また、高飽和水蒸気を圧力容器を通して流通させることにより、凝結水発生量を更に低減できることが確認された。【００１９】
高圧水蒸気滅菌処理においては、処理時間に占める滅菌後の被滅菌物の乾燥時間の割合が大きい。したがって、乾燥時間を短くすることで高圧水蒸気滅菌処理時間を短縮でき、滅菌処理の効率化を達成できる。高圧水蒸気滅菌処理において乾燥時間を短くするためには、圧力容器内の凝結水発生量を減らすこと、および発生した凝結水を速やかに排除することが有効である。【００２０】
本発明では、上記のように、ソフト水熱プロセスを利用して、圧力容器に高飽和水蒸気を流通させながら滅菌を行っている。圧力容器に高飽和水蒸気を流通させることにより、圧力容器内の凝結水発生量を低減でき、さらに凝結水を速やかに排除できる。これにより、滅菌後の被滅菌物の乾燥時間を短縮でき、一連の滅菌処理に必要な作業時間を短縮できる。【００２１】
また、本発明者は、高圧水蒸気滅菌工程後にヒーター発熱温度を当該滅菌工程における場合よりも上げることにより、被滅菌物が所定の乾燥度に到達するために必要な乾燥時間を短縮できることも見出した。これに基づき、本発明では、高圧水蒸気滅菌工程の終了後に、ヒーターの発熱温度を前記の滅菌工程における発熱温度よりも高くして乾燥工程を行うようにしている。これにより、滅菌後の被滅菌物の乾燥時間を更に短縮でき、一連の滅菌処理に必要な作業時間を大幅に短縮できる。【００２２】
特に、滅菌対象物がリネン等のシートによって包まれた状態で圧力容器内において滅菌処理が施される場合には、空気排除工程、昇温昇圧工程および滅菌工程において発生する凝結水のために、乾燥工程の時間が長くなる。本発明の方法は、このような滅菌対象物を滅菌する場合にきわめて有効である。【００２３】
ここで、前記高圧水蒸気滅菌工程において、例えば非特許文献１に示すガイドラインに沿って、前記圧力容器の内部温度を１３４℃に維持し、前記圧力容器の内圧を０．２０４Ｍｐａに維持する場合には、前記高圧水蒸気滅菌工程の終了後において前記ヒーターの発熱温度を１３５℃から１４５℃に上げることが望ましい。【００２４】
本発明者は、ソフト水熱プロセスを用いた流通式高圧水蒸気滅菌処理において、各種の滅菌条件の下で圧力容器内の凝結水発生状態を実験により調べ、これに基づき、凝結水発生量に影響を与える以下の要因を見出した。
１）真空パルス方式の空気排除工程における真空パルスのパルス数およびパルス幅
（パルス数が増える程、また、パルス幅が広がる程、凝結水発生量が少なくなる。）
２）空気除去工程、昇温昇圧工程および滅菌工程において、給蒸弁の開度によって規定される圧力容器を流れる水蒸気流通量
（水蒸気流通量が増える程、凝結水発生量が少なくなる。）
３）滅菌工程におけるボイラ圧力（上流側の水蒸気圧力）
（ボイラ圧力を圧力容器の滅菌用の内部圧力に比べて所定量だけ高くすると、凝結水発生量にバラツキが少なくなる。）
４）圧力容器を加熱するヒーターの設定温度
（乾燥量、乾燥率は、ヒーター温度が高いほど改善される。）【００２５】
本発明の流通式高圧水蒸気滅菌方法では、これらの新たな知見に基づき、上記の各要因１）〜４）のうちの１つ、複数、または全てを調整して、高圧水蒸気滅菌工程後における凝結水発生量を低減することにより、乾燥工程において所望の乾燥度が得られる乾燥時間を短縮するようにしている。例えば、上記の各要因１）〜４）をそれぞれ所定の値に設定した場合における凝結水発生量を所定値以下に低減して、予め定めた乾燥時間内で滅菌後の被滅菌物を乾燥できるように、これら各要因のうちの少なくとも１つ、複数、または全てを、所定量だけ大きな値に変更する。【００２６】
すなわち、本発明では、真空パルス方式の前記空気排除工程における真空パルスのパルス数およびパルス幅のうちのいずれか一つ、または両方を調整して、前記滅菌工程の終了時点における前記圧力容器内の凝結水発生量を所定量以下に低減するようにしている。【００２７】
また、本発明では、前記給蒸弁の開度によって規定される前記圧力容器を流れる水蒸気流通量を調整して、前記滅菌工程の終了時点における前記圧力容器内の凝結水発生量を所定量以下に低減するようにしている。【００２８】
さらに、本発明では、前記高圧水蒸気滅菌工程において、前記上流側の水蒸気圧力を、前記圧力容器の内部圧力に比べて所定量だけ高くして、前記滅菌工程の終了時点における前記圧力容器内の凝結水発生量のバラツキを抑制するようにしている。【００２９】
例えば、前記高圧水蒸気滅菌工程において、例えば非特許文献１に示すガイドラインに沿って、前記圧力容器の内部温度を１３４℃に維持し、前記圧力容器の内圧を０．２０４Ｍｐａに維持する場合には、前記上流側の水蒸気圧力を前記内圧に比べて０．２ＭＰａ高い値に設定することが望ましい。【００３０】
なお、高圧水蒸気滅菌工程時の内部温度の差が１．５℃以内となるように、ヒーターの発熱温度を設定内部温度に対して１℃高い温度にすることが望ましい。例えば、設定内部温度が１３４℃の場合には、ヒーター発熱温度を１３５℃に上げることが望ましい。【００３１】
また、本発明において、前記高圧水蒸気滅菌工程における前記圧力容器の内部温度は、１２０℃〜１５０℃の範囲内の値に設定することができる。また、前記高圧水蒸気滅菌乾燥工程における前記圧力容器の内圧は、１００ｋＰａ〜３７６ｋＰａの範囲内の値に設置することができる。
【図面の簡単な説明】
【００３２】
【図１】本発明を適用した小型滅菌装置の概略構成・配管系統図である。
【図２】図１の小型滅菌装置の処理動作を示す概略フローチャートである。
【図３】扉シールサブルーチン（図２のステップＳＴ３）を示すフローチャートである
【図４】ボイラサブルーチン（図２のステップＳＴ４）を示すフローチャートである。
【図５】圧力容器（缶体）ヒーターサブルーチン（図２のステップＳＴ５）を示すフローチャートである。
【図６】滅菌サブルーチン（図２のステップＳＴ９）の一例を示すフローチャートである。
【図７】処理済の被滅菌物を取り出すための扉シール解除サブルーチン（図２のステップＳＴ１１）を示すフローチャートである。
【図８】滅菌処理動作パターンのタイムチャートである。
【図９】滅菌処理動作の別のパターン例を示すタイムチャートである。
【図１０】小型滅菌装置の予熱工程の一例を示すフローチャートである。
【図１１】予熱工程のタイムチャートである。
【図１２】使用した被滅菌物のサンプル１〜６を示す図面代用写真である。
【図１３】実験で採用した滅菌処理動作の基本パターンの圧力変化を示すグラフである。
【図１４】滅菌処理動作の基本パターンの温度変化を示すグラフである。
【図１５】滅菌工程における圧力および温度の変化を示すグラフである。
【図１６】実験結果を示すグラフおよび表である。
【図１７】実験結果を示すグラフおよび表である。
【図１８】実験結果を示すグラフおよび表である。
【図１９】実験結果を示すグラフおよび表である。
【図２０】実験結果を示すグラフおよび表である。
【図２１】実験結果を示すグラフおよび表である。
【発明を実施するための形態】
【００３３】
以下に、図面を参照して、本発明のソフト水熱プロセスによる流通式高圧水蒸気滅菌方法を用いた小型滅菌装置の実施の形態を説明する。
【００３４】
［全体構成］
図１は、本実施の形態に係る流通型の小型滅菌装置を示す概略構成・配管系統図である。小型滅菌装置１は高圧水蒸気滅菌処理を行う処理ユニット２を備え、処理ユニット２は投入された被滅菌物Ｗの滅菌処理を行う容量８０リットルの圧力容器３（缶体）を備えている。圧力容器３には、当該圧力容器３を外部から加熱するためのヒーター４、および、当該圧力容器３の内部温度および内部圧力を検出する温度検出部５、圧力検出部６が配置されている。また、圧力容器３の扉３ａの開閉機構７が配置されている。
【００３５】
圧力容器３に対して水蒸気流通方向の上流側には、圧力容器３に水蒸気を供給するためのボイラユニット１０が配置されている。ボイラユニット１０はボイラ１１およびボイラ給水タンク１２を備えている。圧力容器３に対して水蒸気流通方向の下流側には、圧力容器３を真空引きするための真空ポンプ１３と、排水タンク１４を備えた排水冷却ユニット１５とが配置されている。
【００３６】
小型滅菌装置１の高圧水蒸気滅菌処理の動作は制御盤１６によって制御される。制御盤１６には操作・表示部１７が接続されている。操作・表示部１７は、表示画面１８と複数の操作ボタン１９が配列されている。操作ボタン１９を操作して、後述の滅菌処理時の温度、圧力、処理時間を設定入力可能である（本小型滅菌装置ではタッチパネルにより操作している）。表示画面１８には、高圧水蒸気滅菌処理時の温度、圧力を含む装置動作状態を表示可能である。
【００３７】
図１を参照して小型滅菌装置１の配管系統の主要部分を説明する。処理ユニット２の圧力容器３には、その缶体の外周面、後端面を取り囲む状態に、複数のヒーター４（Ｈ１〜Ｈ６）が配置されている。ヒーター４により加熱される圧力容器３の内部温度を検出する温度検出部５は、例えば、横置き状態の圧力容器３の内部における中心軸線の方向の中央位置における上側の部位、中心の部位および下側の部位の温度を検出する３個の温度センサＴＥ８、ＴＥ９、ＴＥ１０と、中心部分における下流側の部位および上流側の部位の温度を検出する２個の温度センサＴＥ１１、ＴＥ１２が備わっている。圧力容器３の内圧を検出する圧力検出部６は１個の圧力センサＰＴ１および１個の圧力計ＰＴ２を備えている。
【００３８】
圧力容器３には、給蒸管２１を介して、ボイラ１１が繋がっている。給蒸管２１には、その上流側には給蒸電磁弁２２が配置され、その下流側には、所定の開度に維持される給蒸モーター弁２３が配置されている。圧力容器３の下流側には圧力センサＰＴ１によって検出された内部圧力に応じて所定の開度に維持される排気モーター弁３３が配置されている。ボイラ１１は、ボイラ給水タンク１２から供給される軟水を加熱して水蒸気を発生させる。発生した水蒸気は、給蒸管２１を介して圧力容器３に供給される。ボイラ１１は排水管２４およびボイラ排水弁２５を介して、排水タンク１４に繋がっている。
【００３９】
圧力容器３の入り口側に取り付けられている扉３ａの開閉機構７は、コンプレッサ２６、扉開放電磁弁２７、扉締付電磁弁２８を備えている。圧力容器３には給気管３４および排気管３１が接続されている。給気管３４、真空ポンプ給気弁（給気電磁弁）３５を介して、圧力容器３に給気される。排気管３１は、真空モーター弁３２を介して真空ポンプ１３の吸引側に接続されており、排気モーター弁３３を介して排水タンク１４に接続されている。また、真空ポンプ１３には真空ポンプ給水弁３６を介して給水される。
【００４０】
［高圧水蒸気滅菌処理動作］
図２は小型滅菌装置１の高圧水蒸気滅菌処理動作を示す概略フローチャートである。処理の動作モードとして、単一のパターンあるいは複数種類のパターンを用意しておき、これらの動作のパターンを制御盤１６に設定しておくことができる。例えば、操作者は、操作・表示部１７の操作ボタン１９を操作して、これらのうちの一つを選択できる。
【００４１】
高圧水蒸気滅菌処理動作（以下、単に、「滅菌処理動作」と呼ぶ場合もある。）においては、最初に、圧力容器３の予熱工程が行われ、予熱工程の後に、図２に示す滅菌処理動作が開始される。予熱工程については後述する（図１０、図１１参照）。
【００４２】
滅菌処理動作においては、まず、圧力容器３内に被滅菌物を投入して扉３ａを閉め（ステップＳＴ１）、滅菌処理を開始する（ステップＳＴ２）。滅菌処理においては、扉シールサブルーチン（ステップＳＴ３：図３参照）、ボイラサブルーチン（ステップＳＴ４：図４参照）および圧力容器（缶体）３のヒーターサブルーチン（ステップＳＴ５：図５参照）がそれぞれ行われ、扉３ａのシール圧を規定シール圧に高め、ボイラ１１から供給される水蒸気圧力を規定圧力に高め、ヒーター４の発熱温度を規定温度に高める（ステップＳＴ６、７、８）。
【００４３】
このようにして準備工程が終了した後は、圧力容器３内において被滅菌物の滅菌動作を行う（ステップＳＴ９：空気排除工程、昇温昇圧工程、滅菌工程および乾燥工程、図６参照）。滅菌終了後に圧力容器３の内圧を大気圧に戻し（ステップＳＴ１０）、扉シールを解除し（ステップＳＴ１１：図７参照）、扉３ａを開けて滅菌された後の被滅菌物を取り出す（ステップＳＴ１２）。以下、各ステップについて更に説明する。
【００４４】
図３は扉シールサブルーチン（図２のステップＳＴ３）を示すフローチャートである。被滅菌物を圧力容器３に入れて扉３ａを閉めると、それがドア閉じリミットスイッチＬＳ１、ＬＳ２（図１参照）によって検知され（ステップＳＴ３０１）、扉締付電磁弁２８が開き、コンプレッサ２６が入り（オンし）、設定圧で保持し規定シール圧で扉３ａをシールし（ステップＳＴ３０２、３０３）、コンプレッサ２６を切り（オフし）、扉締付電磁弁２８を閉じる（ステップＳＴ３０４）。この一連の動作により、滅菌終了までそのシール状態を維持する（ステップＳＴ３０２〜３０５）。滅菌終了後は、扉締付電磁弁２８を閉じ、その後開放弁を開け真空ポンプを入りにする（オンする）。これにより扉３ａのシールが解除される。
【００４５】
図４はボイラサブルーチン（図２のステップＳＴ４）を示すフローチャートである。ボイラ１１の運転中においては（ステップＳＴ４０１）、水位が低水位から高水位の間に保持されるように給水ポンプＷＰ（図１参照）を駆動制御する（ステップＳＴ４０２〜４０５）。また、発生水蒸気の圧力が規定圧力に維持されるように内蔵のヒーターを制御する（ステップＳＴ４０６〜４０９）。これにより、規定圧力に制御された水蒸気が圧力容器３の側に供給される。
【００４６】
図５は圧力容器（缶体）ヒータサブルーチン（図２のステップＳＴ５）を示すフローチャートである。ヒーター４の駆動中においては（ステップＳＴ５０１）、その発熱温度が規定温度に維持されるように、ヒーター４の入り切り制御が行われる（ステップＳＴ５０２〜５０５）。
【００４７】
図６は滅菌サブルーチン（図２のステップＳＴ９）の一例を示すフローチャートであり、図８は当該滅菌処理動作パターンのタイムチャートである。図６において、図２のステップＳＴ１〜ＳＴ８に示す工程が準備工程である。
【００４８】
滅菌処理動作においては、まず、圧力容器３の空気排除工程を行う。排気モーター弁３３、給気電磁弁３５を閉じ、真空ポンプ１３をオンにし、真空モーター弁３２および真空ポンプ給水弁３６を開き（ステップＳＴ９０１、９０２）、圧力容器３の内圧を規定陰圧にした後に、真空モーター弁３２を閉じ、真空ポンプ１３を切り、真空ポンプ給水弁３６を閉じる（ステップＳＴ９０３、９０４）。
【００４９】
次に、給蒸モーター弁２３、給蒸電磁弁２２の開閉制御を行って、圧力容器３に真空パルスを２パルス分加える昇温昇圧工程（パルス昇圧）を行い、圧力容器３の内圧を規定の滅菌圧力である０．２０４ＭＰａまで上げる（ステップＳＴ９０５〜９１４）。なお、昇圧動作に並行して、ヒーター４により圧力容器３の内部温度も規定の滅菌温度である１３４℃となるように制御される（図６の缶体ヒーターサブルーチン参照）。
【００５０】
次に、内部圧力が安定するまで待った後に（ステップＳＴ９１５）、滅菌圧力を所定時間に亘って維持して滅菌工程を行う（ステップＳＴ９１６）。滅菌工程においては、給蒸電磁弁２２は開き状態に維持され、給蒸モーター弁２３は、一定の開度、例えば７０％の大きな開度に維持され、所定流量の水蒸気が圧力容器３を介して流通する。制御盤１６（図１参照）は、圧力容器３の内部圧力に基づき、排気モーター弁３３の開度を調節して、圧力容器３の内圧および内部温度を滅菌に適した値（例えば、０．２０４ＭＰａ、１３４℃）に維持する。これにより、圧力容器３内には高飽和水蒸気が流通して、ソフト水熱プロセスを利用した被滅菌物の滅菌が行われる。
【００５１】
規定の滅菌時間が経過した後は、給蒸モーター弁２３、給蒸電磁弁２２を閉じて圧力容器３からの排気を行い、圧力容器３の内圧を大気圧よりも僅かに高い圧力状態にする（ステップＳＴ９１７、９１８）。次に、排気モーター弁３３を閉じ、真空ポンプ給水弁３６を開き、圧力容器３の内圧を大気圧よりも僅かに低い状態にする（ステップＳＴ９１９〜９２１）。このようにして、圧力容器３の排気を行った後に、給気電磁弁３５を開き、送風規定時間だけ圧力容器３に送風する（ステップＳＴ９２２、９２３）。これらの排気、送風からなる乾燥工程を経て、圧力容器３内の滅菌後の被滅菌物を乾燥する。
【００５２】
この後は、真空モーター弁３２を閉じ、真空ポンプ１３を切り、真空ポンプ給水弁３６を閉じる（ステップＳＴ９２４）。
【００５３】
次に、図７は、処理済の被滅菌物を取り出すための扉シール解除サブルーチン（図２のステップＳＴ１１）を示すフローチャートである。まず、真空ポンプ１３を入れて、扉開放電磁弁２７を開き、規定時間に亘って、その状態を維持してシール圧力を解除し、真空ポンプ１３を切り、扉開放電磁弁２７を閉じる（ステップＳＴ１１１〜１１３）。これにより扉３ａを開けることが可能になる。この後は、扉３ａを開き、被滅菌物を取り出す。
【００５４】
小型滅菌装置１の動作を終了する場合には、ヒーター４を切り、ボイラ１１の運転を止める。
【００５５】
（滅菌処理動作の別のパターン例）
図９は滅菌処理動作の別のパターン例を示すタイムチャートである。本例のパターンは、上述した図８に示すパターンにおける空気排除工程が、真空引きおよび水蒸気導入を１パルスとして３パルス分繰り返される真空パルス方式により行われる点と、昇温昇圧工程（パルス昇圧）におけるパルスの印加回数を１回のみとした点と、乾燥工程を真空引きによる真空乾燥と、負圧状態での真空引きと給気をパルス状に２回繰り返す混合乾燥とした点が相違している。滅菌工程は同一である。
【００５６】
［予熱工程の例］
なお、図１０は小型滅菌装置１の予熱工程の一例を示すフローチャートであり、図１１はそのタイムチャートである。これらに示すように、ボイラ１１で発生させた水蒸気を圧力容器３に供給し、これと並行して、圧力容器３を加熱して、常温常圧状態の圧力容器３を所定の規定圧力および所定の規定温度まで上げ、扉３ａのシール圧力を規定シール圧まで上げる（図１０のステップＳＴ１３１〜１３８）。これらの動作は、図３に示すステップＳＴ１〜ＳＴ８の場合と同様である。この後は、規定温度、規定圧力の状態を一定時間に亘って維持した後に、圧力容器３から水蒸気を排出してその内圧を大気圧まで戻す（ステップＳＴ１３９〜１４５）。
【実施例】
【００５７】
（実験内容）
本発明者等は、上記構成の小型滅菌装置１を用いて、例えば非特許文献１に示すガイドラインに沿って、１３４℃、０．２０４ＭＰａ、滅菌時間３．５分間の条件で、滅菌工程を行い、乾燥性を評価するための実験を行った。【００５８】
図１２は使用した被滅菌物Ｗのサンプル１〜６を示す図面代用写真である。これらのサンプル１〜６は、多数個のボルト、ナット等の鋼製小物であり、それぞれの重量を７．５ｋｇとした。これらのサンプル１〜６のそれぞれを、７．５ｋｇを２組ずつ圧力容器に入れて滅菌処理を行った。また、これらのサンプル１〜６は、通気性のシートで包んだ状態、本実験においてはリネンで包んだ状態で、圧力容器３に入れ、処理中に発生した凝結水が圧力容器３から排出されないようにした。【００５９】
図１３は実験で採用した滅菌処理動作の基本パターンの圧力変化を示すグラフであり、図１４はその温度変化を示すグラフであり、図１５は滅菌工程における圧力および温度の変化を示すグラフである。【００６０】
実験においては、ソフト水熱プロセスを利用した滅菌処理において、乾燥性に関して次の関係を分析した。【００６１】
分析項目１：
本発明の滅菌方法における乾燥時間を変えて、サンプルの質量増加率、質量増加量、滅菌後質量を測定し、必要とされる乾燥時間を、従来のオートクレーブにおける乾燥時間と比較した。このために、実験は、図１３に示す基本パターンによるパルス式の乾燥工程においてボイラ設定圧力、高圧水蒸気流通量、およびヒーター発熱温度を変化させた場合と、この基本パターンによる真空パルスのパルス回数、パルス幅（パルス遅延量）を変えた場合について行った。【００６２】
分析項目２：
ボイラ設定圧力（上流側の水蒸気圧力）を変えて、滅菌工程終了時点におけるサンプルの質量増加率、質量増加量および質量を測定し、ボイラ設定圧力と、ソフト水熱プロセスを利用した滅菌方法における凝結水発生量との関係を分析した。【００６３】
分析項目３：
昇温昇圧工程、空気排除工程および滅菌工程において上流側の給蒸モーター弁の開度を変えて圧力容器３の高圧水蒸気流通量を変えて、滅菌工程終了時点におけるサンプルの質量増加率、質量増加量および滅菌後質量を測定し、開度（水蒸気流量）と、ソフト水熱プロセスを利用した滅菌方法における凝結水発生量との関係を分析した。【００６４】
分析項目４：
滅菌工程後のヒーター発熱温度を変えて、サンプルの質量増加率、質量増加量および滅菌処理後の質量を測定し、ヒーター発熱温度と、ソフト水熱プロセスを利用した滅菌方法における凝結水発生量との関係を分析した。【００６５】
分析項目５：
滅菌工程前の空気排除工程を真空パルス方式により行った場合において、パルス回数、パルス幅（パルス遅延量）を変えて、サンプルの滅菌工程後における質量増加率、質量増加量および滅菌処理後質量を測定し、真空パルスの印加形態と、ソフト水熱プロセスを利用した滅菌方法における凝結水発生量との関係を分析した。【００６６】
（実験結果および分析結果）
分析項目１：乾燥時間
図１６は、サンプル５、６（図１２参照）についての実験結果を示すグラフよび図表である。サンプル５、６の場合には、既存のオートクレーブの場合には、乾燥時間が４０分で、質量増加率が−０．１７％以下になり、これが乾燥性の指標となる。【００６７】
本発明の滅菌方法では、通常の乾燥工程を採用した場合には乾燥時間が２５分で、質量増加率が−０．１７％になり、パルス幅（パルス遅延量）を変えて、ヒーター発熱温度を変えた乾燥工程を採用した場合には乾燥時間が２０分で、質量増加率が−０．１７％を下回る−０．２１％になった。したがって、既存の滅菌装置と比較して、乾燥時間を４０分から２０分に短縮できることが確認された。【００６８】
分析項目２：ボイラ設定圧力
図１７は、サンプル１（図１２参照）についての実験結果を示すグラフおよび図表である。これらから分かるように、ボイラ設定圧力が変化しても質量増加（凝結水発生量）に殆ど違いが無く、圧力が０．４ＭＰａの場合には、質量増加のバラツキ（ＳＤ）が少ない。例えば、圧力容器の滅菌工程温度を１３４℃、内部圧力を０．２０４ＭＰａとした場合には、ボイラ設定圧力を、０．２ＭＰａ高く設定することにより、凝結水発生量を安定的に低減でき、これにより、乾燥工程における乾燥時間を安定的に短縮できる。【００６９】
分析項目３：開度（水蒸気流通量）
図１８は、サンプル１、２および３についての実験結果を示すグラフおよび図表である。給蒸モーター弁開度が大きい程、したがって、水蒸気量が多い程、乾燥が亢進することが分かる。具体的には、空気除去工程、昇温昇圧工程および滅菌工程での開度を７５％以上として、所定の温度および圧力の水蒸気量を多くすると乾燥が亢進するので好ましい。【００７０】
分析項目４：ヒーター発熱温度
図１９は、サンプル２についての実験結果を示すグラフおよび図表である。質量増加は、ヒーター発熱温度が高い程、マイナス側に大きな値となる。換言すると、ヒーター発熱温度が高い程、乾燥が亢進する。例えば、圧力容器の滅菌工程温度を１３４℃、内部圧力を０．２０４ＭＰａとした場合には、滅菌工程後のヒーター発熱温度を、滅菌工程における発熱温度である１３５℃から１４５℃に上げることが好ましい。【００７１】
分析項目５：パルス印加形態
図２０は、サンプル３についてのパルス数を変えた場合の実験結果を示すグラフおよび図表である。滅菌工程前の真空パルス方式の空気排除工程において、ダイナミックパルス方式により、０．０３ＭＰａ〜−０．０９２ＭＰａのパルスの回数を増やすと、乾燥が亢進することが分かる。【００７２】
図２１は、サンプル３についての空気除去工程のパルス幅を変えた場合の実験結果を示すグラフおよび図表である。パルス遅延時間（分）は、各パルスにおける−０．０６５ＭＰａから−０．０９２ＭＰａまでの間の時間である。パルス時間を延ばすと乾燥が亢進することが分かる。【００７３】
したがって、乾燥工程において必要とされる乾燥時間を短くするためには、空気排除工程におけるパルス回数を増やし、パルス時間を長くすればよい。全体の工程時間の短縮を考慮するとパルス幅（パルス遅延量）を長くする方が効率的で望ましい。【００７４】
以上説明したように、ソフト水熱プロセスを利用した流通式の小型滅菌装置では、図１６に示すように、通常の乾燥工程を採用した場合には乾燥時間が２５分で、質量増加率が−０．１７％になる。また、真空パルスのパルス幅（パルス遅延量）を適宜調整し、ヒーター発熱温度を適宜調整した乾燥工程を採用した場合には、乾燥時間が２０分で、質量増加率が−０．１７％を下回る−０．２１％になった。したがって、既存の滅菌装置と比較して、乾燥時間を４０分から２０分に短縮できることが確認された。例えば、圧力容器の滅菌工程温度を１３４℃、内部圧力を０．２０４ＭＰａとした場合には、圧力容器のヒーターの設定温度（発熱温度）を乾燥工程において１３５℃から１４５℃に上げることにより、さらに、滅菌工程前の真空パルス方式の空気排除工程におけるパルス回数を増やし、あるいは、パルス幅を広げることにより、乾燥工程における乾燥時間を２０分以内に短縮できることが示唆された。【００７５】
これに加えて、圧力容器の上流側において給蒸モーター弁の開度を大きくして、蒸気流通量を増やすことにより、凝結水発生量を低減できるので、乾燥工程における乾燥時間を更に短縮できる。【００７６】
また、ボイラ設定圧力（上流側の水蒸気圧力）を、例えば圧力容器の滅菌工程温度を１３４℃、内部圧力を０．２０４ＭＰａとした場合には、滅菌工程における圧力容器内圧である０．２０４ＭＰａよりも０．２ＭＰａ高くすることにより、凝結水発生量を安定的に低減できるので、乾燥後の被滅菌物の乾燥状態にバラツキを無くすことができる。
【図１】
2017010525.tif 000003
【図２】
2017010525.tif 000004
【図３】
2017010525.tif 000005
【図４】
2017010525.tif 000006
【図５】
2017010525.tif 000007
【図６】
2017010525.tif 000008
【図７】
2017010525.tif 000009
【図８】
2017010525.tif 000010
【図９】
2017010525.tif 000011
【図１０】
2017010525.tif 000012
【図１１】
2017010525.tif 000013
【図１２】
2017010525.tif 000014
【図１３】
2017010525.tif 000015
【図１４】
2017010525.tif 000016
【図１５】
2017010525.tif 000017
【図１６】
2017010525.tif 000018
【図１７】
2017010525.tif 000019
【図１８】
2017010525.tif 000020
【図１９】
2017010525.tif 000021
【図２０】
2017010525.tif 000022
【図２１】
2017010525.tif 000023
【国際調査報告】
2017010525.tif 000024
2017010525.tif 000025
2017010525.tif 000026